(57)【要約】【課題】  建築物の壁面の通りを、人手や手数がかからず、高精度に測定して検査するための壁通り検査治具を提供する。【解決手段】  着磁体Ｃを有する建築物Ｄの壁面Ｂの壁通りを水糸Ａを用いて検査する検査治具１であって、該検査治具１は水糸固定具２と糸巻具３とからなり、前記水糸固定具２は前記壁面Ｂの着磁体Ｃに着磁する磁石８と、該磁石８を保持する保持部５と、この保持部５の外側に形成したつまみ６及び前記水糸Ａを掛止する水糸掛止部７とから構成され、前記糸巻具３はケース３ａの内部に前記水糸Ａを巻回収納する方向へ回転付勢する巻回部を有し、且つ前記ケース３ａに前記壁面Ｂの着磁体Ｃに着磁する磁石８を具備してなることを特徴とする検査治具１。【選択図】      図２  
2005195345.tif 000002
【特許請求の範囲】
【請求項１】
着磁体を有する建築物の壁面の壁通りを水糸を用いて検査する検査治具であって、該検査治具は水糸固定具と糸巻具とからなり、前記水糸固定具は前記壁面の着磁体に着磁する磁石と、該磁石を保持する保持部と、この保持部の外側に形成したつまみ及び前記水糸を掛止する水糸掛止部とから構成され、前記糸巻具はケースの内部に前記水糸を巻回収納する方向へ回転付勢する巻回部を有し、且つ前記ケースに前記壁面の着磁体に着磁する磁石を具備してなることを特徴とする検査治具。
【発明の詳細な説明】
【技術分野】
【０００１】
この発明は、新築あるいは増改築した際に、建造物の壁面の通りを測定して検査するための壁通り検査治具に関する。
【背景技術】
【０００２】
建造物の新築や増改築する際に図６、図７に示すように各部屋のパネルからなる壁面Ｂを測定して同一平面上に並んでいるかどうか検査し、不揃いの場合には調整する工程がある。この場合、各部屋のパネルの壁面Ｂが同一平面上にあるか否かを測定するには、水糸Ａを壁面Ｂの両端に亘って張って、この水糸Ａから壁面Ｂまでの距離をスケールＥを用いて複数箇所で測定している。水糸Ａは壁面Ｂの両端で壁面Ｂから同じ高さの位置で固定されているので、測定値が全て等しければ測定している壁面Ｂは同一平面上に仕上っていると判断でき、万一、測定値にバラツキが生じていれば、軸組等の建造物の構造材に取付けている複数のパネルのうちバラツキが生じているパネルの取付高さを調整して、同一平面となるように均らす作業をして仕上げている。
このような一連の作業工程において、水糸Ａを壁面Ｂの両端に所定の同じ高さ位置に固定するには、図６に示すように、壁面Ｂの両端で人がそれぞれ手で同じ長さの小棒Ｆの先端に結びつけている水糸Ａを持って立ち、測定者がスケールＥで壁面Ｂと水糸Ａの間隔距離を測定してゆく測定法が採用されている。
【０００３】
又、図７に示すように、パネルを構造材に係止して形成されている壁面Ｂの両端にある釘やビスＧなどを弛めて壁面Ｂから同じ高さまで突出させ、その先端に水糸Ａの両端を係止して張って前記と同様の作業工程で測定する方法が採用されている。
【０００４】
あるいは、レーザーを用いた３次元物体計測システムによって、壁面Ｂの通りを測定する方法も採用されている（例えば、特許文献１参照。）。
【特許文献１】特表２００１−５２４２１１
【発明の開示】
【発明が解決しようとする課題】
【０００５】
しかしながら、上記の従来技術においては次のような問題点がある。人手によって水糸Ａの両端を結んでいる小棒Ｆを支持する測定法では、測定するために３人の人を要すという問題点がある。又、壁面Ｂの釘やビスＧを弛めて突出させてその先端に水糸Ａの両端を係止する測定法では、１人の人で作業できるものの釘やビスＧの弛めと元戻しに手数がかかるのみならず、壁面Ｂの品質の低下をも招く問題点がある。更に、レーザーによる測定法では、設備、装置が高価となるばかりでなく測定作業をするには操作方法をあらかじめ習得しておかなければならないという問題点がある。
【課題を解決するための手段】
【０００６】
この発明は上記事情に鑑みてなされたものであって、その手段とするところは、着磁体を有する建築物の壁面の壁通りを水糸を用いて検査する検査治具であって、該検査治具は水糸固定具と糸巻具とからなり、前記水糸固定具は前記壁面の着磁体に着磁する磁石と、該磁石を保持する保持部と、この保持部の外側に形成したつまみ及び前記水糸を掛止する水糸掛止部とから構成され、前記糸巻具はケースの内部に前記水糸を巻回収納する方向へ回転付勢する巻回部を有し、且つ前記ケースに前記壁面の着磁体に着磁する磁石を具備してなることを特徴とする検査治具にある。
【発明の効果】
【０００７】
上記請求項１の発明によれば、まず、水糸固定具の保持部に保持された磁石が、壁面の両端に位置する着磁体に着磁してそれぞれ固定される。そして、この壁面の両端の２つの水糸固定具の水糸掛止部に糸巻具の内部から排出した水糸を掛止すると共に、糸巻具を壁面の着磁体に着磁しておく。そして、張られた水糸と壁面の距離をスケールで順次測定して必要に応じて記録して、測定値にバラツキの生じている時は、後でパネルの取付位置を変えることで壁面が平らな平面となるように調整する。従って、壁面の壁通りの作業はスケールの測定者１人で行える。作業の開始又は終了時には水糸固定具のつまみを指で持って簡単に移動することができるので作業能率は向上する。又、２つの水糸固定具の間隔距離が測定場所によって異っていても、糸巻具からの水糸の排出長さを調整するだけでよく、又、水糸は巻回部によって収納する一方向に巻回収納するように付勢されているので、一端を１つの水糸固定具の水糸掛止部に結んで固定させて他端側をもう１つの水糸固定具の水糸掛止部に巻回して糸巻具を壁面に着磁固定させるだけで、水糸の長さ調節の手数を省くことができる利点がある。
【発明を実施するための最良の形態】
【０００８】
この発明の実施の形態に係る検査治具を図１乃至５に基づいて以下説明する。この実施形態の検査治具１は、水糸固定具２と糸巻具３とからなる。
【０００９】
水糸固定具３は、図３、図４に示すように、磁石４と、該磁石４を保持する保持部５と、該保持部５の先端に形成したつまみ６及び水糸Ａを掛止する水糸掛止部７を主たる構成要件としている。磁石４の形状はとくに限定されるものではないが、図４に示すように、一端が保持部５から突出する場合は、保持部５から突出した側の面は壁面Ｂの着磁体Ｃに着磁した時に安定するように平面に形成されていることが望ましい。着磁体Ｃは壁面Ｂを構成するパネルや板材等を固定するための釘やビスであっても、壁面Ｂの後方に存在する軸組などの着磁体であっても、あるいは壁面Ｂ自体が金属製の着磁体であってもその種類は問われない。保持部５は前記磁石４を保持できるものであれば、その材質、形状は問われない。前述のように磁石４の一端を保持部５から突出するように保持してもよく、あるいは全て包み込んでもよい。この場合には、磁石４の場合と同様に包み込んだ外形状は平面となるように形成しておくことが望ましい。又、材質としては、金属、合成樹脂、木などとくに限定されるものではないが、ある程度の弾力性と強度を有して嵌め込み易いことから合成樹脂が望ましい。
【００１０】
この保持部５の先端に形成されているつまみ６は、図２では四角形体であるが、指先でつまむことができる形状ならば円形体その他の形状であってもよい。このつまみ６は保持部５とは棒状の水糸掛止部７によって一体的に形成されているが、保持部５の外側であって指でつまめる位置であれば上端でなくてもよい。又、水糸掛止部７も保持部５とつまみ６の間に限定されることなく、水糸Ａを引掛けることができる形状であれば他の位置であってもよい。
【００１１】
前記糸巻具３は、図５に示すように、ケース３ａの内部で水糸Ａを巻回して収納する方向へ回転付勢する巻回部（図示せず）を具備しているので、排出口３ｂから回転付勢に抗して水糸Ａを引張り出してから放すと、その内部へ再び巻回収納されるようになっている。又、ケース３ａの外部には磁石８が取付けられている。
【００１２】
以上の構成からなるこの発明の検査治具１を用いて建造物Ｄの壁面Ｂの壁通りを検査する手順について図１，２を参照しつつ説明する。まず、検査対象となる壁面Ｂの両端に水糸固定具２を固定する。壁面Ｂには前述のように壁面Ｂを形成するパネルなどを係止する釘やビスが存在するか、あるいは壁面Ｂを形成するパネル自体が着磁体Ｃとなっているので、つまみ６を指でつかんで磁石４をこれら着磁体Ｃに着磁させるだけでよい。次に、一方の水糸固定具２の水糸掛止部７に糸巻具３の排出口３ｂから引張り出した水糸Ａの端部を引掛けてから更に引張り出した水糸Ａをもう一方の水糸固定具２の水糸掛止部７を巻回してから、糸巻具３のケース３ａの外部に取付けた磁石４を壁面Ｂの着磁体Ｃに着磁する。水糸Ａは糸巻具３の内部の巻回部によって常に内部へ収納する方向に引張られているために、もう一つの水糸固定具２の水糸掛止部７には水糸Ａを巻回するだけでも水糸Ａが２つの水糸固定具２の間で弛むことなく張ることができる。これにより、水糸Ａが壁面Ｂの両端において壁面Ｂから同じ距離を開けて張られる。
【００１３】
このような準備が整ってから、作業者はスケールＥを持って、その先端を壁面Ｂに当てて水糸Ａと交差する目盛を読み取ってゆく。測定する箇所は、上下左右方向何箇所でもよい。
測定が終了すると、先程とは逆の手順で壁面Ｂから検査治具１を順次外してゆくだけでよい。
【００１４】
以上のようにこの発明の検査治具１によると、壁面Ｂへの取付け取外しが極めて容易であり、しかも１人の作業者でもって能率良く作業を行い得る。又、水糸Ａの長さが検査する壁面Ｂの幅の長さによって種々変化する場合でも、糸巻具３の内部で巻回しているので余分な長さの部分はケース３ａ内へ巻回収納しておくことが出来ることから、長さに応じた水糸Ａを準備する必要がない。更に、磁石４、８の磁力が強い種類を選択すれば、釘やビスのような面積が小さな着磁体Ｃでも着磁することができるので、測定場所の制約を受けることはほとんど生じない。
【産業上の利用可能性】
【００１５】
建造物の新築の場合には勿論のこと、増改築、リフォームの場合などにも有効に利用できる。
【図面の簡単な説明】
【００１６】
【図１】この発明を用いた壁面の壁通り測定の一部拡大平面説明図
【図２】図１の斜視説明図
【図３】水糸固定具の斜視図
【図４】図２のIII− III線断面図
【図５】糸巻具の斜視図
【図６】従来法の図１に対応した一部拡大平面説明図
【図７】他の従来法の図１に対応した一部拡大平面説明図
【符号の説明】
【００１７】
１  検査治具
２  水糸固定具
３  糸巻具
３ａ  ケース
３ｂ  排出口
４  磁石
５  保持具
６  つまみ
７  水糸掛止部
８  磁石
Ａ  水糸
Ｂ  壁面
Ｃ  着磁体
Ｄ  建造物
Ｅ  スケール
【図１】
2005195345.tif 000003
【図２】
2005195345.tif 000004
【図３】
2005195345.tif 000005
【図４】
2005195345.tif 000006
【図５】
2005195345.tif 000007
【図６】
2005195345.tif 000008
【図７】
2005195345.tif 000009